(57)【要約】【課題】  本考案の目的は、シートバックからヘッドレストを取り外したり、ヘッドレストから防犯ガラスを取り外したりすることなく車両用シートに着脱できる車両用シートカバーを提供することにある。【解決手段】  本考案のらくらくシートカバー１では、シートバックカバー２０における上面被覆部２４と背面被覆部２２との間が分離されると共に、左側面被覆部２３と背面被覆部２２との間が分離されている。上面被覆部２４と背面被覆部２２との間には、面状ファスナー２７ａ，２７ｂが設けられ、左側面被覆部２３と背面被覆部２２との間には、スライドファスナー２８ａ，２８ｂが設けられている。ヘッドレストカバー１０は、短冊状に形成され、その長尺方向両端部１１，１２には、面状ファスナー１３ａ，１３ｂが設けられている。【選択図】  図１
0003104571.tif 000002
【実用新案登録請求の範囲】
【請求項１】
車両用シートに設けられたシートバックの背当部を被覆する正面被覆部と、前記シートバックの背面部を被覆する背面被覆部と、前記シートバックの側面部を被覆する側面被覆部と、前記シートバックにヘッドレストを取り付けるためのヘッドレスト取付部の周辺を被覆する上面被覆部とを備えてなるシートバックカバーを有するらくらくシートカバーであって、
前記シートバックカバーにおける前記正面被覆部と前記背面被覆部との間を分離すると共に、前記正面被覆部と前記背面被覆部との間に互いに着脱可能な被覆部着脱手段を備えてなることを特徴とするらくらくシートカバー。
【請求項２】
前記シートバックカバーにおける前記上面被覆部と前記背面被覆部との間を分離すると共に、前記側面被覆部と前記背面被覆部との間を分離し、
前記被覆部着脱手段を、前記上面被覆部と前記背面被覆部との間と、前記側面被覆部と前記背面被覆部との間とに備えてなることを特徴とする請求項１に記載のらくらくシートカバー。
【請求項３】
前記シートバックカバーにおける前記上面被覆部と前記背面被覆部との間を分離すると共に、前記側面被覆部と前記正面被覆部との間を分離し、
前記被覆部着脱手段を、前記上面被覆部と前記背面被覆部との間と、前記側面被覆部と前記正面被覆部との間とに備えてなることを特徴とする請求項１に記載のらくらくシートカバー。
【請求項４】
前記被覆部着脱手段は、釦および釦孔，凸状釦および凹状釦，面状ファスナー，スライドファスナーのいずれかを含むことを特徴とする請求項１乃至請求項３のいずれか一項に記載のらくらくシートカバー。
【請求項５】
前記ヘッドレストを被覆する短冊状のヘッドレストカバーを備え、
該ヘッドレストカバーの対向する両端部には、互いに着脱可能な端部着脱手段が設けられ、
該端部着脱手段は、釦および釦孔，凸状釦および凹状釦，面状ファスナー，スライドファスナーのいずれかを含むことを特徴とする請求項１乃至請求項４のいずれか一項に記載のらくらくシートカバー。
【考案の詳細な説明】
【技術分野】
【０００１】
本考案は、車両用シートカバーに係り、特に、ヘッドレストに防犯ガラス等を一体に備えたタクシーの運転シートなどのように、車両用シートの上部に別物が設けられた車両用シートに適用される車両用シートカバーに関する。
【背景技術】
【０００２】
従来から、例えば、タクシーには、ヘッドレストに防犯ガラスを一体に設けた運転シートが備えられている。図５，図６は、タクシーに備えられた運転シート（シートカバーは被覆されていない）の一例を示す斜視図である。この運転シート３０には、シートバック３１が備えられており、このシートバック３１の上部には、ヘッドレスト３２を取り付けるためのヘッドレスト取付部３１ｄが設けられている。また、シートバック３１の背面部３１ｂには、取手３１ｇが設けられている。
【０００３】
ヘッドレスト３２には、下方に向けて延びる取付ロッド３２ｃが２本設けられており、この取付ロッド３２ｃをヘッドレスト取付部３１ｄに取り付けることにより、シートバック３１の上部にヘッドレスト３２が固定されている。ヘッドレスト３２には、金具３３ａを介して防犯ガラス３３が一体に取り付けられており、これによって、タクシーの車内では、不図示の後部シートと運転シート３０とが仕切られ、運転者が保護されるようになっている。
【０００４】
図７（ａ），（ｂ）は、従来の車両用シートカバーの構成を示す斜視図である。図７（ａ）に示すように、従来のヘッドレストカバー１１０は、袋状に形成され、その開口部１１１には、伸縮自在な環状のゴムバンド（不図示）が設けられている。そして、この従来例では、ヘッドレスト３２から防犯ガラス３３を取り外した状態で、開口部１１１を広げてから、ヘッドレストカバー１１０をヘッドレスト３２の上部より被せるようになっている。
【０００５】
シートバックカバー１２０は、図７（ｂ）に示すように、上記シートバック３１の背当部３１ａを被覆する正面被覆部１２１と、シートバック３１の背面部３１ｂを被覆する背面被覆部１２２と、シートバック３１の左側面部３１ｃを被覆する左側面被覆部１２３と、シートバック３１の右側面部３１ｆを被覆する右側面被覆部１２９と、シートバック３１に設けられたヘッドレスト取付部３１ｄの周辺部３１ｅを被覆する上面被覆部１２４が一体に縫製された袋状に形成されたものである。
【０００６】
上面被覆部１２４のヘッドレスト取付部３１ｄに対応する位置には、孔１２４ａが２箇所形成されている。そして、この従来例では、ヘッドレスト３２をシートバック３１から取り外した状態で、シートバックカバー１２０をシートバック３１の上部より被せるようになっている。また、シートバックカバー１２０をシートバック３１の上部より被せた後、シートバックカバー１２０の孔１２４ａを介して取付ロッド３２ｃをヘッドレスト取付部３１ｄに取り付けて、ヘッドレスト３２をシートバック３１に固定するようになっている。
【考案の開示】
【考案が解決しようとする課題】
【０００７】
ところが、上記従来例においては、シートバックカバー１２０をシートバック３１に被せたりシートバック３１から取り外したりするためには、シートバック３１から別物であるヘッドレスト３２を取り外す必要がある。従って、例えば、シートバックカバー１２０をクリーニングする度に、シートバック３１からヘッドレスト３２をわざわざ取り外す必要があり、乗務員（交換者）にとっては煩わしいものとなっていた。
【０００８】
特に、最近のタクシーでは、上述の通り、ヘッドレスト３２に防犯ガラス３３が一体に取り付けられているので、シートバック３１からヘッドレスト３２を取り外す作業はたいへん煩わしいものとなっていた。従って、多数のタクシーを保有するタクシー会社にとっては、シートカバーの交換作業がたいへん効率の悪いものとなり、タクシー業界では、シートバック３１からヘッドレスト３２をいちいち外さなくても、シートバックカバー１２０をシートバック３１に被せたりシートバック３１から取り外したりすることができるものが望まれていた。
【０００９】
また、上記従来例におけるヘッドレストカバー１１０は、上述の通り、開口部１１１にゴムバンドを有し、このゴムバンドを広げてからヘッドレスト３２に被せる構成である。従って、取り付け及び取り外し作業やクリーニング作業を繰り返すうちに、ゴムバンドが劣化してしまい、ヘッドレストカバー１１０が長持ちしないという不具合があった。
【００１０】
さらに、タクシーに備えられた運転シート３０のヘッドレスト３２には、上述の通り、防犯ガラス３３が一体に取り付けられているので、従来のように、袋状のヘッドレストカバー１１０をヘッドレスト３２に被せたりヘッドレスト３２から取り外したりするには、防犯ガラス３３をヘッドレスト３２から取り外す必要があった。従って、タクシー業界では、ヘッドレスト３２から防犯ガラス３３をわざわざ取り外さなくても、ヘッドレストカバー１１０をヘッドレスト３２に被せたりヘッドレスト３２から取り外したりすることができるものが望まれていた。
【００１１】
本考案は、上記事情に鑑みてなされたものであって、その目的は、シートバックからヘッドレストを取り外したり、ヘッドレストから防犯ガラスを取り外したりすることなく車両用シートに着脱できる車両用シートカバーを提供することにある。
【課題を解決するための手段】
【００１２】
前記課題は、本考案のらくらくシートカバー（１）によれば、車両用シート（３０）に設けられたシートバック（３１）の背当部（３１ａ）を被覆する正面被覆部（２１）と、前記シートバック（３１）の背面部（３１ｂ）を被覆する背面被覆部（２２）と、前記シートバック（３１）の側面部（３１ｃ）を被覆する側面被覆部（２３）と、前記シートバック（３１）にヘッドレスト（３２）を取り付けるためのヘッドレスト取付部（３１ｄ）の周辺（３１ｅ）を被覆する上面被覆部（２４）とを備えてなるシートバックカバー（２０）を有するらくらくシートカバー（１）であって、前記シートバックカバー（２０）における前記正面被覆部（２１）と前記背面被覆部（２２）との間を分離すると共に、前記正面被覆部（２１）と前記背面被覆部（２２）との間に互いに着脱可能な被覆部着脱手段（２７ａ，２７ｂ，２８ａ，２８ｂ）を備えてなること、により解決される。
【００１３】
このように、本考案のらくらくシートカバー（１）によれば、シートバックカバー（２０）における正面被覆部（２１）と背面被覆部（２２）との間を分離することができる。従って、正面被覆部（２１）と背面被覆部（２２）との間を分離することにより、正面被覆部（２１）に対して背面被覆部（２２）を開閉自在にすることが可能となるので、シートバックカバー（２０）をシートバック（３１）の上方からではなく側方から被せたり取り外したりすることが可能となる。
【００１４】
これにより、シートバック（３１）からヘッドレスト（３２）を取り外さず取り付けたままで、シートバック（３１）にシートバックカバー（２０）を被せたり、シートバック（３１）からシートバックカバー（２０）を取り外したりすることが可能となる。
【００１５】
本考案のらくらくシートカバーは、より具体的には、シートバックカバー（２０）における上面被覆部（２４）と背面被覆部（２２）との間を分離すると共に、側面被覆部（２３）と背面被覆部（２２）との間を分離し、被覆部着脱手段（２７ａ，２７ｂ，２８ａ，２８ｂ）を、上面被覆部（２４）と背面被覆部（２２）との間と、側面被覆部（２３）と背面被覆部（２２）との間とに備えるものである。
【００１６】
なお、本考案のらくらくシートカバー（１）において、シートバックカバー（２０）における上面被覆部（２４）と背面被覆部（２２）との間を分離すると共に、側面被覆部（２３）と正面被覆部（２１）との間を分離し、被覆部着脱手段（２７ａ，２７ｂ，２８ａ，２８ｂ）を、上面被覆部（２４）と背面被覆部（２２）との間と、側面被覆部（２３）と正面被覆部（２１）との間とに備えても良い。
【００１７】
そして、前記被覆部着脱手段（２７ａ，２７ｂ，２８ａ，２８ｂ）は、より具体的には、釦および釦孔，凸状釦および凹状釦，面状ファスナー，スライドファスナーのいずれかを含むものである。
【００１８】
また、本考案のらくらくシートカバー（１）は、さらに具体的には、ヘッドレスト（３２）を被覆する短冊状のヘッドレストカバー（１０）を備え、ヘッドレストカバー（１０）の対向する両端部（１１，１２）には、互いに着脱可能な端部着脱手段（１３ａ，１３ｂ）が設けられ、この端部着脱手段（１３ａ，１３ｂ）は、釦および釦孔，凸状釦および凹状釦，面状ファスナー，スライドファスナーのいずれかを含むものである。
【００１９】
このように、本考案のらくらくシートカバー（１）は、短冊状のヘッドレストカバー（１０）を備え、ヘッドレストカバー（１０）の対向する両端部（１１，１２）に、互いに着脱可能な端部着脱手段（１３ａ，１３ｂ）を備えている。
【００２０】
そして、端部着脱手段（１３ａ，１３ｂ）は、釦および釦孔，凸状釦および凹状釦，面状ファスナー，スライドファスナーのいずれかを含むものである。これら釦および釦孔，凸状釦および凹状釦，面状ファスナー，スライドファスナーは、ゴムバンドよりも一般に劣化し難いとされているので、従来のゴムバンドを使用したヘッドレストカバーよりも寿命を伸長させることが可能である。
【００２１】
また、本考案に係るヘッドレストカバー（１０）をヘッドレスト（３２）に被せるには、ヘッドレスト（３２）の上部と防犯ガラス（３３）との間の隙間（Ｃ１）からヘッドレストカバー（１０）を挿入し、ヘッドレストカバー（１０）全体をヘッドレスト（３２）の正面部（３２ａ）から背面部（３２ｂ）に至る領域に密着させる。
【００２２】
この状態で、シートバック（３１）の上端部とヘッドレスト（３２）の下端部との間の隙間（Ｃ２）を介してヘッドレストカバー（１０）の対向する両端部（１１）を端部着脱手段（１３ａ，１３ｂ）により接合する。これにより、ヘッドレストカバー（１０）がヘッドレスト３２に密着し、ヘッドレストカバー（１０）のヘッドレスト（３２）への被覆が完了する。また、シートバックカバー（１０）をシートバック（３２）から取り外すためには、上記作業の逆を行えば良い。
【００２３】
このように、本考案に係るらくらくシートカバー（１）によれば、ヘッドレスト（３２）に防犯ガラス（３３）を取り付けた状態でも、ヘッドレストカバー（１０）をヘッドレスト（３２）に被せたりヘッドレスト（３２）から取り外したりすることが可能である。
【考案の効果】
【００２４】
本考案によれば、シートバックから別物、例えば、ヘッドレストを取り外したり、ヘッドレストから防犯ガラスを取り外したりすることなく車両用シートに車両用シートカバーを着脱することができる。
【考案を実施するための最良の形態】
【００２５】
以下、本考案の一実施形態について、図を参照して説明する。なお、以下に説明する部材、配置等は、本考案を限定するものではなく、本考案の趣旨に沿って各種改変することができることは勿論である。
【００２６】
はじめに、本実施形態に係るらくらくシートカバーの構成について説明する。
図１は、本実施形態に係るらくらくシートカバーの構成を示す斜視図である。図１に示すように、本実施形態に係るらくらくシートカバー１は、ヘッドレストカバー１０と、シートバックカバー２０とを有している。なお、本実施形態に係るらくらくシートカバー１が被覆される運転シート３０の構成及び形状については、従来と同様である。
【００２７】
ヘッドレストカバー１０は、上述のヘッドレスト３２の正面部３２ａから背面部３２ｂに至る領域を包む短冊状に形成されており、ヘッドレストカバー１０の長尺方向両端部１１，１２には、本考案に係る端部着脱手段の一例として、面状ファスナー１３ａ，１３ｂが設けられている。ヘッドレストカバー１０の一端部１１には、長尺方向に沿って切り欠き１４が２箇所形成されており、本例では、この切り欠き１４に上述のヘッドレスト３２の取付ロッド３２ｃを挿通することができるようになっている。
【００２８】
シートバックカバー２０は、上述のシートバック３１の背当部３１ａを被覆する正面被覆部２１と、シートバック３１の背面部３１ｂを被覆する背面被覆部２２と、シートバック３１の左側面部３１ｃを被覆する左側面被覆部２３と、シートバック３１の右側面部を被覆する右側面被覆部２９と、ヘッドレスト３２に設けられたヘッドレスト取付部３１ｄの周辺部３１ｅを被覆する上面被覆部２４とを備える。
【００２９】
正面被覆部２１の右側端部は、右側面被覆部２９の前側端部と縫製され、正面被覆部２１の左側端部は、左側面被覆部２３の前側端部と縫製されている。また、右側面被覆部２９の後側端部は、背面被覆部２２の右側端部と縫製されている。なお、本例では、縫製を例にしたが、接着剤による接合やファスナーなどの他の手段を用いても良い。
【００３０】
そして、シートバックカバー２０における上面被覆部２４と背面被覆部２２との間は分離されており、上面被覆部２４と背面被覆部２２との間には、被覆部着脱手段の一例として、面状ファスナー２７ａ，２７ｂが設けられている。また、左側面被覆部２３と背面被覆部２２との間も分離されており、左側面被覆部２３と背面被覆部との間には、被覆部着脱手段の一例として、スライドファスナー２８ａ，２８ｂが設けられている。
【００３１】
シートバックカバー２０の上面被覆部２４には、切り欠き２４ａが形成されており、本例では、この切り欠き２４ａに上述のヘッドレスト３２に設けられた取付ロッド３２ｃを挿通することができるようになっている。シートバックカバー２０の背面被覆部２２には、シートバック３１の幅方向に沿うように切り欠き孔２２ａが形成されており、本例では、この切り欠き孔２２ａを介して上述の運転シート３０に設けられた取手３１ｇを外部に露出することができるようになっている。
【００３２】
次に、上記構成からなるらくらくシートカバー１を運転シート３０に取り付ける方法について説明する。
図２は本実施形態に係るらくらくシートカバーを運転シートに被せる様子を斜め前方より見た斜視図、図３は本実施形態に係るらくらくシートカバーを運転シートに被せる様子を斜め後方より見た斜視図、図４は本実施形態に係るらくらくシートカバーを運転シートに被せた状態を斜め前方より見た斜視図である。
【００３３】
本実施形態に係るヘッドレストカバー１０をヘッドレスト３２に被せるには、図２，図３に示すように、ヘッドレスト３２の上部と防犯ガラス３３との間の隙間Ｃ１からヘッドレストカバー１０を挿入する。そして、ヘッドレストカバー１０全体をヘッドレスト３２の正面部３２ａから背面部３２ｂに至る領域に密着させる。このとき、切り欠き１４にヘッドレスト３２の取付ロッド３２ｃを挿通させる。
【００３４】
この状態で、シートバック３１の上端部とヘッドレスト３２の下端部との間の隙間Ｃ２を介してヘッドレストカバー１０の長尺方向両端部１１，１２を面状ファスナー１３ａ，１３ｂにより接合する。これにより、図４に示すように、ヘッドレストカバー１０がヘッドレスト３２に密着し、ヘッドレストカバー１０のヘッドレスト３２への被覆が完了する。なお、ヘッドレストカバー１０をヘッドレスト３２から取り外すためには、上記作業の逆を行えば良い。
【００３５】
このように、本実施形態に係るヘッドレストカバー１０をヘッドレスト３２に被せるときには、ヘッドレスト３２から防犯ガラス３３を取り外さず取り付けたままで良いので、ヘッドレストカバー１０のシートカバーの交換作業等を効率化することが可能である。また、面状ファスナー１３ａ，１３ｂは、ゴムバンドよりも一般に劣化し難いとされているので、従来のゴムバンドを使用した場合よりもヘッドレストカバー１０の寿命を伸長させることが可能である。
【００３６】
一方、本実施形態に係るシートバックカバー２０をシートバック３１に被せるには、面状ファスナー２７ａ，２７ｂの係合状態を解除して、上面被覆部２４と背面被覆部２２とを分離させる。また、スライドファスナー２８ａ，２８ｂの係合状態を解除して、左側面被覆部２３と背面被覆部２２とを分離させる。
【００３７】
そして、上述のようにして、上面被覆部２４と背面被覆部２２とを分離させると共に、左側面被覆部２３と背面被覆部２２とを分離させることにより、正面被覆部２１に対して背面被覆部２２を開閉自在にすることが可能となる。従って、シートバックカバーをシートバックの上方からではなく側方から被せたり取り外したりすることが可能となる。
【００３８】
そして、上述のようにして上面被覆部２４と背面被覆部２２を分離させると共に、左側面被覆部２３と背面被覆部２２を分離させた状態で、シートバックカバー２０を運転シート３０の右側から被せる。このとき、正面被覆部２１によりシートバック３１の背当部３１ａを被覆し、背面被覆部２２によりシートバック３１の背面部３１ｂを被覆する。
【００３９】
また、左側面被覆部２３によりシートバック３１の左側面部３１ｃを被覆すると共に、右側面被覆部２９によりシートバック３１の右側面部３１ｆを被覆し、上面被覆部２４によりヘッドレスト取付部３１ｄの周辺部３１ｅを被覆する。このとき、上面被覆部２４の切り欠き２４ａに取付ロッド３２ｃを挿通させ、背面被覆部２２の切り欠き孔２２ａ内に取手３１ｇを位置させる。
【００４０】
このようにして、シートバックカバー２０をシートバック３１に被せた後、面状ファスナー２７ａ，２７ｂを互いに係合させて、上面被覆部２４と背面被覆部２２とを接合する。また、スライドファスナー２８ａ，２８ｂを互いに係合させて、左側面被覆部２３と背面被覆部２２とを接合する。これにより、図４に示すように、シートバックカバー２０がシートバック３１に密着し、シートバックカバー２０のシートバック３１への被覆が完了する。なお、シートバックカバー２０をシートバック３１から取り外すためには、上記作業の逆を行えば良い。
【００４１】
このように、本実施形態に係るらくらくシートカバー１によれば、シートバック３１にヘッドレスト３２を取り付けた状態でも、シートバックカバー２０をシートバック３１に被せたりシートバック３１から取り外したりすることが可能である。これにより、シートバックカバー２０のシートカバーの交換作業等を効率化することが可能となる。
【００４２】
また、本実施形態に係るらくらくシートカバー１によれば、シートバックカバー２０の上面被覆部２４に形成された切り欠き２４ａに取付ロッド３２ｃを挿通させた状態で、ヘッドレスト取付部３１ｄの周辺部３１ｅを上面被覆部２４により被覆することが可能である。このように、ヘッドレスト取付部３１ｄの周辺部３１ｅを上面被覆部２４によって被覆することにより、シートバック３１の上部の汚れを防止できると共に、美観も向上させることができる。
【００４３】
なお、上記実施形態では、本考案に係る被覆部着脱手段が、面状ファスナー２７ａ，２７ｂや、スライドファスナー２８ａ，２８ｂにより構成されていたが、その他にも、被覆部着脱手段として、釦および釦孔，凸状釦および凹状釦，面状ファスナーのいずれかを用いても良い。
【００４４】
さらに、本考案に係る端部着脱手段は、面状ファスナー１３ａ，１３ｂにより構成されていたが、その他にも、端部着脱手段として、釦および釦孔，凸状釦および凹状釦，スライドファスナーのいずれかを用いても良い。
【００４５】
また、上記実施形態では、前部右側の運転シートに適用されるべく、左側面被覆部２３と背面被覆部２２との間が分離されていたが（すなわち、右ハンドル車用となっていたが）、本考案はこれに限定されるものではない。その他にも、本考案のらくらくシートカバー１は、前部左側の運転シートに適用されるべく、右側面被覆部２９と背面被覆部２２との間が分離されていても良い（すなわち、左ハンドル車用となっていても良い）。
【００４６】
また、上記実施形態では、上面被覆部２４と背面被覆部２２との間が分離されると共に、左側面被覆部２３と背面被覆部２２との間が分離されていたが、本考案はこれに限定されるものではない。その他にも、上面被覆部２４と背面被覆部２２との間が分離されると共に、左側面被覆部２３と正面被覆部２１との間が分離されていても良い。
【図面の簡単な説明】
【００４７】
【図１】本実施形態に係るらくらくシートカバーの構成を示す斜視図である。
【図２】本実施形態に係るらくらくシートカバーを運転シートに被せる様子を斜め前方より見た斜視図である。
【図３】本実施形態に係るらくらくシートカバーを運転シートに被せる様子を斜め後方より見た斜視図である。
【図４】本実施形態に係るらくらくシートカバーを運転シートに被せた状態を斜め前方より見た斜視図である。
【図５】タクシーの運転シートを斜め前方より見た斜視図である。
【図６】タクシーの運転シートを斜め後方より見た斜視図である。
【図７】従来の車両用シートカバーの構成を示す斜視図である。
【符号の説明】
【００４８】
１      らくらくシートカバー
１０    ヘッドレストカバー
１１，１２    端部
１３ａ，１３ｂ    面状ファスナー
２０    シートバックファスナー
２１    正面被覆部
２２    背面被覆部
２３    左側面被覆部
２４    上面被覆部
２７ａ，２７ｂ    面状ファスナー
２８ａ，２８ｂ    スライドファスナー
【図１】
0003104571.tif 000003
【図２】
0003104571.tif 000004
【図３】
0003104571.tif 000005
【図４】
0003104571.tif 000006
【図５】
0003104571.tif 000007
【図６】
0003104571.tif 000008
【図７】
0003104571.tif 000009